(57)【特許請求の範囲】
【請求項１】
押しボタンを押すことにより発言権を取得して、前記押しボタンを押している間通話可能な携帯通信端末であって、
前記押しボタンを半押し可能で、かつ全押し不可状態にロックするロック機構を有する押しボタンスイッチと、
前記ロック機構のロック及びその解除制御をなすと共に、前記ロック時に半押しされたことを検出して前記発言権の取得要求をなす制御手段と、
を含むことを特徴とする携帯通信端末。
【請求項２】
前記制御手段は、前記発言権の取得が可能になったとき、前記ロック機構のロック解除をなすよう構成されていることを特徴とする請求項１記載の携帯通信端末。
【請求項３】
押しボタンを半押し可能でかつ全押し不可状態にロックするロック機構を有する押しボタンスイッチの押しボタンを押すことにより発言権を取得して、前記押しボタンを押している間通話可能とした携帯通信端末における発言権取得方法であって、
前記ロック機構によるロック時に前記押しボタンが半押しされたことを検出して前記発言権の取得要求をなすステップと、
前記発言権の取得が可能になったとき、前記ロック機構のロック解除をなすステップとを含むことを特徴とする発言権取得方法。
【請求項４】
押しボタンを半押し可能でかつ全押し不可状態にロックするロック機構を有する押しボタンスイッチの押しボタンを押すことにより発言権を取得して、前記押しボタンを押している間通話可能とした携帯通信端末における発言権取得方法をコンピュータにより実行させるためのプログラムであって、
前記ロック機構によるロック時に前記押しボタンが半押しされたことを検出して前記発言権の取得要求をなす処理と、
前記発言権の取得が可能になったとき、前記ロック機構のロック解除をなす処理とを含むことを特徴とするプログラム。
【発明の詳細な説明】
【技術分野】
【０００１】
本発明は携帯通信端末及び発言権取得方法並びにプログラムに関し、特にＰＴＴ方式の携帯電話機における発言権獲得に用いられるＰｏｃボタン装置用の押しボタンスイッチ構造の改良に関するものである。
【背景技術】
【０００２】
携帯電話機を用いて、トランシーバと同様に、通話相手の選択に続いて押しボタンを押すだけで、通話を可能にするＰＴＴ（Push-to-Talk）方式がある。このＰＴＴ方式では、通話ができるのはボタンを押し込んでいる間だけであり、ボタンを離すと通話は止まるようになっている。携帯電話機向けの標準仕様として、ＰｏＣ（Push-to-Talk over Cellular）フェーズ１が、ＯＭＡ（Open Mobile Alliance）により規定されている。この場合におけるボタンが押しボタンスイッチ構造となっており、いわゆるＰｏＣボタンと称されている。
【０００３】
従来のこの種のＰｏＣボタン構造の一例が、特許文献１に記載されている。この従来のＰｏＣボタンの構造では、押圧式の構造を持つボタン、または、スライド式の構造を持つボタンから構成されている。このような構成を有する従来のＰｏＣボタンは、次のように動作する。すなわち、人手によりボタンを押し続けるか、またはボタンをスライドさせてスイッチをオン状態に固定させることにより、送信側の発言権を取得するようになっている。
【０００４】
【特許文献１】実開平５−００６５７９号公報
【発明の開示】
【発明が解決しようとする課題】
【０００５】
従来の構成では、ＰｏＣボタンをオン状態にしたにも関わらず、発言権を取得できているかの情報を、このＰｏＣボタンを通して利用者に伝えることができないという問題があった。その理由は、従来のＰｏＣボタンの構造が、発言権の取得状況に関して何ら考慮されていないためである。従って、従来のＰｏＣを用いた通話において、ユーザがＰｏＣボタンを押し、発言権を取得しようとした際、確認音を鳴らすことによって、発言権の取得結果を伝えていた。
【０００６】
しかしながら、通話中に確認音をならすことは、会話の妨げになるという問題があった。また、一度確認音を聞き逃してしまうと、現在自分が発言権を取得できている状態なのかを確認することができず、確認するためには「画面を見る」、「再度、ＰｏＣボタンを押す」などの動作を行わなければならないという問題があった。
【０００７】
本発明の目的は、確認音などを使用することなく会話を妨げることなく、ユーザに対して発言権の取得状況を告知可能としたＰｏｃボタン装置用の押しボタンスイッチ構造を用いた携帯通信端末及び発言権取得方法並びにプログラムを提供することである。
【課題を解決するための手段】
【０００９】
本発明による携帯通信端末は、押しボタンを押すことにより発言権を取得して、前記押しボタンを押している間通話可能な携帯通信端末であって、前記押しボタンを半押し可能で、かつ全押し不可状態にロックするロック機構を有する押しボタンスイッチと、前記ロック機構のロック及びその解除制御をなすと共に、前記ロック時に半押しされたことを検出して前記発言権の取得要求をなす制御手段とを含むことを特徴とする。
【００１０】
本発明による発言権取得方法は、押しボタンを半押し可能でかつ全押し不可状態にロックするロック機構を有する押しボタンスイッチの押しボタンを押すことにより発言権を取得して、前記押しボタンを押している間通話可能とした携帯通信端末における発言権取得方法であって、前記ロック機構によるロック時に前記押しボタンが半押しされたことを検出して前記発言権の取得要求をなすステップと、前記発言権の取得が可能になったとき、前記ロック機構のロック解除をなすステップとを含むことを特徴とする。
【００１１】
本発明によるプログラムは、押しボタンを半押し可能でかつ全押し不可状態にロックするロック機構を有する押しボタンスイッチの押しボタンを押すことにより発言権を取得して、前記押しボタンを押している間通話可能とした携帯通信端末における発言権取得方法をコンピュータにより実行させるためのプログラムであって、前記ロック機構によるロック時に前記押しボタンが半押しされたことを検出して前記発言権の取得要求をなす処理と、前記発言権の取得が可能になったとき、前記ロック機構のロック解除をなす処理とを含むことを特徴とする。
【発明の効果】
【００１２】
本発明による第一の効果は、ユーザがＰｏＣボタンを押した際に、確実にユーザに対して発言権の取得可能状況を知らせることが可能なことである。その理由は、利用者がＰｏＣボタンを押した時点で、発言権を取得可能な状態であるか否かを、ボタンを押す時の反応で直接知らせることができるためである。また、確認音で取得結果を知らせる場合とは異なり、確認音を聞き逃すといった問題がなく、ボタンを押す動作を行うことで、いつでも取得状況を確認できるからである。
【００１３】
第２の効果は、会話を妨げることなくユーザに発言権の取得結果を伝えられることである。その理由は、確認音で取得結果を伝える場合とは異なり、相手からの音声以外をスピーカから流す必要がないからでる。また、確認音の場合、一度聞き逃してしまうと、「画面を確認する」などの動作をしなければ発言権の取得状況を確認できない。このために、取得できたかを確認するためには、一度携帯電話機を耳から離す必要があり、会話の妨げになってしまう。しかし、本発明では、ＰｏＣボタンで取得結果を確認できるために、取得状況を確認する際も上記のような動作が必要なく、会話の妨げにはならない。
【発明を実施するための最良の形態】
【００１４】
以下に、図面を参照しつつ本発明の実施の形態について説明する。図１は本発明の実施例が適用される携帯電話機に代表される携帯通信端末と基地局とを含む移動通信システムの概略構成を示す図である。図１を参照すると、本システムは、プログラム制御により動作する携帯通信端末１，３，４（端末と略記する）と端末の通信を制御する基地局２とから構成されている。
【００１５】
端末１，３，４は同一構成であり、端末１についてのみその機能ブロックを示している。端末１は、ＰｏＣボタン装置１１と、ＰｏＣボタン制御部１２と、通信制御部１３とを含んで構成されている。なお、このＰｏＣボタン装置１１は、後に説明するが、図２に示すようなロック／アンロックの制御ができ、押しボタン操作部３１の半押し状態と全押し状態の２つの状態の認識が可能な構造を持つものとする。
【００１６】
基地局２は、通信制御部２１と通話状況保持テーブル２２とを含んで構成されている。
【００１７】
これら各部は、それぞれ概略次のように動作する。ＰｏＣボタン装置１１は、ＰＴＴ方式による通話を行う際に、発言権を取得するために用いられる装置である。ＰｏＣボタン制御部１２は、ＰｏＣボタン装置１１のロック／アンロックを制御するものである。通信制御部１３，２１は、基地局と端末との間の通信を制御する機能を有する。また、通話状況保持テーブル２２は、ＰｏＣ通話による端末間の通話状況（どの端末が発言権を取得しているか）を保持するためのテーブルである。
【００１８】
図２はロック制御付きのＰｏＣボタン装置に使用される押しボタンスイッチ構造の実施例の断面を示す。この装置はＰｏＣボタン制御部１２により、図の水平方向にスライド自在に制御される構造のスライド式ストッパ３５を用いることにより、ロック／アンロックを行うことができるようになっている。
【００１９】
図２において、３１は押しボタン操作部であり、３２はボタン装置のカバーであり、３３は切片であって操作部３１の先端の操作部接点３９による押圧力により弾性変形自在な切片である。３４はスライド式ストッパ３５の上面に設けられたストッパ接点であり、３６はボタン装置の枠部であり、３７はベースである。また、３８はスイッチ接点であり、３９は操作部接点である。なお、操作部接点３９、切片３３、ストッパ接点３４、スイッチ接点３８は、導電性の材料からなっているものとする。
【００２０】
図２において、（ａ）は押しボタン操作部３１が押されていない状態の場合を示している。いま、スライド式ストッパ３５が、ＰｏＣボタン制御部１２により、スライドして、（ｂ）に示す位置にあるとすると、ボタン装置１１はロック状態となって、このスライド式ストッパ３５の作用により、半押しまでしかできず、全押し不可能状態となる。この半押し状態では、切片３３とストッパ接点３４とが接しているので、これを検知することにより、半押し状態であることが認識可能である。
【００２１】
ここで、スライド式ストッパ３５が、ＰｏＣボタン制御部１２による制御によって、スライドして、（ｃ）に示すような位置にくると、ボタン装置１１はアンロック（ロック解除）状態となり、操作部３１を全押しすることができる。この状態では、切片３３とスイッチ接点３８とが接しているので、それを検知することにより、全押し状態であることを認識することが可能である。
【００２２】
スライド式ストッパ３５のスライド制御は、ＰｏＣボタン制御部１２からの制御信号により、図示せぬアクチュエータなどにより行われるものとする。
【００２３】
次に、図３のフローチャートを参照しつつ本発明の実施の形態の動作について説明する。先ず、端末間でＰｏＣ通話が開始される（ステップＡ１）と、ＰｏＣボタン装置１１のスライド式ストッパ３５により、当該ボタン装置１１をロック状態とする（ステップＡ２）。なお、このロック状態では、ＰｏＣボタンを、図２（ｂ）の半押し状態にすることは可能であるが、図２（ｃ）のような全押し状態にすることはできない。
【００２４】
この状態で、ユーザが発言権を取得しようとした場合、先ず、ＰｏＣボタン装置１１の操作部３１を、図２（ｂ）のように半押し状態にする（ステップＡ３）。これにより、端末は基地局へ発言権を取得可能であるかどうかの問い合わせを行う（ステップＡ４）。
【００２５】
この結果、発言権を取得できない場合であれば、引き続きＰｏＣボタンをロック状態として維持させることにより、ユーザに発言権が取得できないことを伝える。また、発言権を取得できる場合には、ロックを解除し、全押し可能状態とすることにより、ユーザに発言権が取得できたことを伝える（ステップＡ６）。そして、ユーザは発言権を取得し、通話を開始する（ステップＡ７、８）。最後に、ユーザの通話が終了すれば（ステップＡ９）、再びＰｏＣボタンをロック状態にする（ステップＡ２）。
【００２６】
このように、通常状態ではＰｏＣボタンをロック状態にしておき、問い合わせを行った後、発言権を取得できる状態にのみロック状態を解除することにより、複数のユーザが同時にアンロック状態となる問題を防ぐことができる。これらの処理を各端末で行うことにより、ＰｏＣでの通話が実現可能となるのである。
【００２７】
こうすることにより、確認音を鳴らすことなく、ユーザに発言権の取得結果を知らせることが可能となる。また、ＰｏＣボタンを用いて発言権の取得状態を伝えることで、ユーザーが現在発言権を取得できているかどうか画面を見ることなく確実に、知らせることができることになる。
【００２８】
なお、図３のフローチャートの動作は、予めその動作手順をプログラムとしてＲＯＭなどの記録媒体に格納しておき、これをコンピュータに読み取らせて実行させるように構成できることは明らかである。
【図面の簡単な説明】
【００２９】
【図１】本発明の実施の形態が適用されるシステム構成の概略図である。
【図２】本発明の実施の形態のＰｏＣボタン装置の構造を説明するための断面図であり、（ａ）はロック状態において操作部のボタンが押されていない状態、（ｂ）はロック状態において操作部のボタンが半押しされている状態、（ｃ）はロック解除状態において操作部のボタンが全押しされている状態を、それぞれ示す図である。
【図３】本発明の動作を示すフローチャートである。
【符号の説明】
【００３０】
１，３，４  端末
２  基地局
１１  ＰｏＣボタン装置
１２  ＰｏＣボタン制御部
１３，２１  通信制御部
２２  通話状況保持テーブル
３１  押しボタン操作部
３２  カバー
３３  切片
３４  ストッパ接点
３５  スライド式ストッパ
３６  枠部
３７  ベース
３８  スイッチ接点
３９  操作部接点
【図１】
0004725380.tif 000002
【図２】
0004725380.tif 000003
【図３】
0004725380.tif 000004